(57)【要約】【課題】複数の有効成分を持つ医薬品及びサプリメントの飲み合わせ情報を検索できるシステムを開発すること。【解決手段】本検索システムを端末からサーバにアクセスして起動すると、まず、検索画面１００が表示される。この検索画面１００は、商品検索部１１０と薬剤製品検索部１２０とで構成されている。商品検索部１１０の入力欄１１２や薬剤製品検索部１２０の入力欄１２２に、それぞれ、サプリメントの商品名や薬剤製品名を入力して、飲み合わせ検索ボタン１３４をクリックすることで、サプリメントと医薬品との飲み合わせの情報を得ることができる。【選択図】図３
2005222158.tif 000002
【特許請求の範囲】
【請求項１】
検索対象のサプリメント商品名を入力する商品名入力手段と、
検索対象の薬剤製品名を入力する薬剤製品名入力手段と、
データベース格納手段を用いて、入力された商品名及び薬剤製品名から、それに使用されている原材料及び含まれる有効成分を求め、求めた原材料及び有効成分から、飲み合わせ情報を得る飲み合わせ検索手段と、
検索結果である飲み合わせ情報を編集して表示する検索結果表示手段と
を備えることを特徴とする飲み合わせ情報検索システム。
【請求項２】
請求項１記載の飲み合わせ情報検索システムにおいて、
前記商品名入力手段は、商品名の一部又は原材料名を入力すると、データベース格納手段を検索して関連する商品名一覧を表示し、その中から選択して商品名を入力する入力補助手段を備えることを特徴とする飲み合わせ情報検索システム。
【請求項３】
請求項１又は２に記載の飲み合わせ情報検索システムにおいて、
前記薬剤製品名入力手段は、薬剤製品名又は治療薬分類名の一部を入力すると、データベース格納手段を検索して関連する薬剤製品名一覧を表示し、その中から選択して薬剤製品名を入力する入力補助手段を備えることを特徴とする飲み合わせ情報検索システム。
【請求項４】
請求項１〜３のいずれかに記載の飲み合わせ情報検索システムにおいて、
前記検索結果である飲み合わせ情報には文献情報が含まれており、外部サーバから該文献情報を表示することを特徴とする飲み合わせ情報検索システム。
【請求項５】
請求項１〜４に記載の飲み合わせ情報検索システムの機能をコンピュータ・システムに実現させるためのプログラム。
【発明の詳細な説明】
【技術分野】
【０００１】
本発明は、サプリメント（健康補助食品)と医薬品の飲み合わせによる弊害を防ぐための情報を検索するためのシステムに関する。
【背景技術】
【０００２】
サプリメント(健康補助食品)とは、栄養成分を補給し、または特別の保健の用途に適するもの、その他健康の保持・増進及び健康管理の目的のために摂取される食品を指す。健康を維持するために、毎日の食事から必要な栄養素をバランスよく摂ることが必要であるが、現代人の食生活は外食や偏食、不規則な生活により、栄養バランスが偏り易い。また、環境の変化から食品が本来持っている栄養素そのものが低下しているとも言われている。このような状況を反映して、近年サプリメントの需要が急速に拡大している。さらに、サプリメントの中には通常の食事では摂りにくい栄養成分を提供するものがあり、特別の保健用途に有効性を発揮し、健康の増進に役立っている。
現在では、生活習慣病の予防や美容などを目的としたサプリメントの利用が認知され、広く普及しているが、サプリメントの適切な利用方法及び情報を提供することが必要である。正しく把握すべき情報の一つとしてサプリメントと医薬品の飲み合わせに関する情報が挙げられる。サプリメントは薬のような即効性はなく、病気の治療を目的としたものでもなく、あくまで「食品」である。しかしながら、サプリメントは栄養成分の含有量が高く、習慣的、継続的に摂取される場合が多いので、医薬品との飲み合わせによる弊害を正しく知る必要がある。
【０００３】
医薬品とサプリメントの飲み合わせの弊害を調べるためには、医薬品、サプリメントそれぞれの有効成分を明らかにし、個々の成分どうしの飲み合わせに関する情報を全て検索しなければならない。
医薬品の成分情報は「じほう社」から電子媒体で入手可能である。しかしながら、医薬品の個々の成分を調べ、それらとサプリメントの個々の成分との飲み合わせを調べることは、組み合わせが膨大であり困難である。これらの情報を正確に、瞬時に得るためにはコンピュータを利用したデータベースの構築が適しているが、そのようなシステムは知られていない。なお、出願人において検索した結果、技術水準を示す文献として特許文献１が見出された。
【特許文献１】特開２００３−１６１９２号公報
【発明の開示】
【発明が解決しようとする課題】
【０００４】
本発明の目的は、複数の有効成分を持つ医薬品及びサプリメントの飲み合わせ情報を検索できるシステムを開発することである。
【課題を解決するための手段】
【０００５】
上述の発明の目的を達成するために、本発明は、検索対象のサプリメント商品名を入力する商品名入力手段と、検索対象の薬剤製品名を入力する薬剤製品名入力手段と、データベース格納手段を用いて、入力された商品名及び薬剤製品名から、それに使用されている原材料及び含まれる有効成分を求め、求めた原材料及び有効成分から、飲み合わせ情報を得る飲み合わせ検索手段と、検索結果である飲み合わせ情報を編集して表示する検索結果表示手段とを備えることを特徴とする飲み合わせ情報検索システムである。
【０００６】
また、前記商品名入力手段は、商品名の一部又は原材料名を入力すると、データベース格納手段を検索して関連する商品名一覧を表示し、その中から選択して商品名を入力する入力補助手段を備えてもよく、前記薬剤製品名入力手段は、薬剤製品名又は治療薬分類名の一部を入力すると、データベース格納手段を検索して関連する薬剤製品名一覧を表示し、その中から選択して薬剤製品名を入力する入力補助手段を備えてもよい。
前記検索結果である飲み合わせ情報には文献情報が含まれており、外部サーバから該文献情報を表示することもできる。
上述の飲み合わせ情報検索システムの機能をコンピュータ・システムに実行させるためのプログラムも本発明である。
【発明の効果】
【０００７】
本発明により、複数の有効成分を持つ医薬品及びサプリメントの飲み合わせ情報を正確に、瞬時に得られるようになった。
【発明を実施するための最良の形態】
【０００８】
図面を用いて、本発明の実施形態を説明する。
（システム構成）
図１は、本発明の実施形態の構成例を示す図である。図１において、本検索システムは、社内ネット（イントラネット）１０に接続されているサーバ３０上で実行されている。このサーバ３０は、飲み合わせ情報等が格納されているデータベース３２を有している。また、社内ネット（イントラネット）１０は、サーバ３０等を介してインターネット４０に接続されており、外部の情報提供サーバ５０等にも接続されている。サーバ上で実行される本検索システムは、社内ネット（イントラネット）１０を介して、端末２０のブラウザから登録されたユーザがアクセスすることにより、利用することができる。また、外部からも登録されたユーザが、インターネット４０を介して端末６０から、本検索システムにアクセスすることも可能である。サーバ３０では、登録されたユーザであることを識別する認証処理が行われ、本検索システムへのアクセスを許可する。
端末２０，６０は、通常のパーソナル・コンピュータであり、社内ネット１０やインターネット４０へ接続するための通信接続機器，表示装置，ポインティング・デバイス（マウス）やキーボード等の入力装置，プリンタ等を備えている。
【０００９】
本検索システムを、図面図２−１〜図８を用いて、以下に説明する。
図２−１，図２−２は、本検索システムの機能を説明するための表である。図２−１，図２−２の表においては、画面，操作，使用されるデータテーブル等が示されている。これらの表を中心に、端末２０に表示される画面を示した図３〜図７−２、本検索システムが使用するデータベース３２の構造を示した図８を用いて、本システムの機能を詳しく説明する。
本検索システムを端末２０からアクセスして起動すると、まず、図３に示す検索画面１００が表示される。この検索画面１００は、商品検索部１１０と薬剤製品検索部１２０とで構成されている。商品検索部１１０の入力欄１１２や薬剤製品検索部１２０の入力欄１２２に、それぞれ、サプリメントの商品名や薬剤製品名を入力して、飲み合わせ検索ボタン１３４をクリックすると、入力された商品名や薬剤製品名がサーバ３０に送信される。サーバ３０で、受け取った商品名や薬剤製品名でデータベース３２に格納されたデータを検索する。検索結果を端末２０に送信して表示することで、サプリメントと医薬品との飲み合わせの情報を得ることができる。なお、クリックとは、ポインティング・デバイスで表示装置上のボタンを指し示して、ポインティング・デバイスのボタンを押す操作である。
【００１０】
（商品名入力）
まず、商品検索部１１０の入力欄１１２に、飲み合わせの検索対象であるサプリメントの商品名を入力する（図２−１番号１の行参照）。このために、例えば、ビタミンと入力欄１１２に入力して、機能ボタンである商品ボタン１１４をクリックすると、ビタミンが名称に含まれる検索対象商品名が図４に示すように一覧表示される。この一覧表示された商品から検索対象する商品名を、選択ボタン１４２をクリックすることで選択する（図２−１番号２の行参照）と、選択された商品名が入力欄１１２に表示される（図２−１番号３の行参照）。このようにして、サプリメントの検索対象商品名を入力欄１１２に入力する。
また、図３の商品検索部１１０の入力欄１１２に商品名を入力するために、サプリメントに使用されている原料名を入力して、原材料ボタン１１６をクリックして、関連する商品の一覧を表示することもできる（図２−１番号１の欄参照）。表示された商品の一覧から選択して、図３の入力欄１１２に商品名を入力する操作は、前に述べたものと同様である。
これを複数回繰り返すことにより、複数のサプリメント商品名を入力欄１１２に入力することができる。
【００１１】
（商品名一覧表示処理）
検索対象の商品を入力するために一覧表示する処理は、サーバ３０のデータベース３２内に格納されている、図８に示した商品テーブル３１０，原材料名リンクテーブル３２０，及び原材料名テーブル３３０を用いて行われる。商品テーブル３１０は、商品シーケンス番号３１１，商品名３１２，及び注意表記３１３のフィールドで構成された複数のレコードを有している。原材料名リンクテーブル３２０は、商品シーケンス番号３２１及び原材料シーケンス番号３２２のフィールドで構成された複数のレコードを有している。この原材料名リンクテーブル３２０は、商品シーケンス番号３２１と商品に含まれる原材料の原材料シーケンス番号３２２とを対応させている。原材料名テーブル３３０は、原材料シーケンス番号３３１，原材料名３３２のフィールドで構成された複数のレコードを有している。注意表記３１３は商品に記載されている注意表記である。なお、商品シーケンス番号および原材料シーケンス番号は、システム内ではユニークな番号である。また、各テーブルの項目間を結合した線は、検索時に参照していることを示している。線に付されている１：ｎ（線が左に出ているものはｎ：１）は、自テーブルの値に対して、相手テーブルに同一の値が複数存在することを意味する。１：１は自テーブルの値に対して相手テーブルに同一の値が１つ存在することを意味している。図８におけるテーブル間の関係は、他のテーブル間にも適用できるものである。
【００１２】
図４のように、例えばビタミンを含む商品名を表示するためには、図８に示されている商品テーブル３１０中の全てのレコードの商品名フィールド３１２を検索して、部分一致した商品名を一覧リストに編集して、図４に示すように表示する。
原材料名を入力して、商品一覧を表示する処理は、図８に示した原材料名テーブル３３０内の全てのレコードの原材料名フィールド３３２を検索し、一致した原材料名の原材料シーケンス番号３３１から、原材料名リンクテーブル３２０を用いて、使用している商品の商品シーケンス番号３２１を得る。この商品シーケンス番号３２１で、商品テーブル３１０により、商品名３１２を得て、得た商品名を編集して一覧表示している。
原材料名リンクテーブル３２０は、商品シーケンス番号３２１と原材料シーケンス番号３２２の対で、サプリメントの商品に使用されている原材料を表しており、１つの商品に複数の原材料が用いられている場合は、同じ商品シーケンス番号３２１で異なる原材料シーケンス番号３２２の複数のレコードが存在することになる。
また、上述の入力欄１１２に選択した商品名を表示するときに、対応する商品テーブル３１０の商品シーケンス番号３１１を得ておく。また、この商品シーケンス番号３１１から原材料名リンクテーブル３２０を用いて、原材料シーケンス番号３２２を得るとともに、得た原材料シーケンス番号３２２から原材料名テーブル３３０を用いて、原材料名３３２も得る（図２−１の番号２，３の行参照）。検索対象商品に対応した、商品名，商品シーケンス番号，原材料シーケンス番号，原材料名は、飲み合わせ検索や検索結果の表示に使用するため、システムのワークエリアに格納しておく。
【００１３】
（薬剤製品名入力）
次に、飲み合わせの検索対象である薬剤製品名を、入力欄１２２に入力するために、製品名に含まれる例えばアスピリンを入力して製品ボタン１２４をクリックする（図２−１番号４の行参照）。すると、製品名にアスピリンが含まれる製品名の一覧が、図５のように表示される（図２−１番号５の行参照）。この製品名一覧の中から検索対象の薬剤製品名を、選択ボタン１５２をクリックすることで選択する。選択された薬剤製品名が入力欄１２２に表示される（図２−１番号６の行参照）。薬剤製品名は後発品（ジェネリック）も一覧表示される。この様に、一覧から選択して入力することにより、剤型（錠・細粒等）や用量（５ｍｇ・１０％等）も特定することができ、より確実な飲み合わせ情報を検索することができる。
検索対象の薬剤製品名が不明のときは、治療薬分類名（薬効別に分類された名称）またはその一部を入力欄１２２に入力して、分類ボタン１２６をクリックする（図２−１番号４の行参照）。これにより、図５と同様の薬剤製品名の一覧が表示されるので、一覧から検索対象の薬剤製品名を、選択ボタン１５２をクリックすることで選択入力する。
これを複数回繰り返すことにより、複数の薬剤製品名を入力欄１２２に入力することができる。
【００１４】
（薬剤製品名一覧表示処理）
検索対象の薬剤製品を選択入力するために、薬剤製品の一覧を表示する処理は、サーバ３０のデータベース３２内に格納されている、図８に示した治療薬分類テーブル３９０，一般名リンクテーブル４１０，一般名テーブル４２０及び薬剤製品テーブル４３０を用いて行われる。治療薬分類テーブル３９０は、治療薬分類シーケンス番号３９１及び治療薬分類３９２のフィールドで構成された複数のレコードを有している。一般名リンクテーブル４１０は、一般名リンクシーケンス番号４１１，治療薬分類シーケンス番号４１２及び一般名シーケンス番号４１３のフィールドで構成された複数のレコードを有している。一般名テーブル４２０は、一般名シーケンス番号４２１及び一般名４２２のフィールドで構成された複数のレコードを有している。薬剤製品テーブル４３０は、薬剤製品シーケンス番号４３１，一般名シーケンス番号４３２及び薬剤製品名４３３のフィールドで構成された複数のレコードを有している。薬剤製品テーブル４３０では、１つのレコード中に複数の一般名シーケンス番号４３２が含まれることがある。一般名とは、薬剤製品が含有する有効成分の名称である。薬剤製品シーケンス番号４３１に、複数の一般名シーケンス番号４３２が対応しているときは、薬剤製品が複数の有効成分を含有している場合である。薬剤製品シーケンス番号，一般名シーケンス番号，治療薬分類シーケンス番号は、それぞれシステム内でユニークである。
薬剤製品名の一部が入力欄１２２に入力され、製品ボタン１２４がクリックされたときは、薬剤製品テーブル４３０中の全てのレコードの薬剤製品名フィールド４３３を検索して、部分一致した薬剤製品名を一覧リストに編集して、図５に示すように表示する。
また、治療薬分類名やその一部が入力欄１２２に入力され、分類ボタン１２６がクリックされたときは、治療薬分類テーブル３９０中の全てのレコードの治療薬分類３９２を検索して、部分一致したレコードの治療薬分類シーケンス番号３９１から、一般名リンクテーブル４１０を用いて一般名シーケンス番号４１３を得て、一般名テーブル４２０を介して、薬剤製品テーブル４３０から薬剤製品名４３３を得る。得た薬剤製品名を一覧リストに編集して表示する。
また、上述の入力欄１２２に選択した薬剤製品名を表示するときに、薬剤製品テーブル４３０から、対応する一般名シーケンス番号４３２を得ておく。また、この一般名シーケンス番号４３２で、一般名テーブル４２０から一般名４２２を、一般名リンクテーブル４１０を介して治療薬分類シーケンス番号４１２を得て、治療薬分類テーブル３９０から治療薬分類３９２も得る。検索対象薬剤製品に対応した、薬剤製品名，一般名、一般名シーケンス番号，治療薬名，治療薬分類シーケンス番号は、飲み合わせ検索や検索結果の表示に使用するため、システムのワークエリアに格納しておく。
【００１５】
（飲み合わせ検索）
健康補助食品の複数商品名及び複数の薬剤製品名を入力した検索画面を図６に示す。ここで、飲み合わせ検索ボタン１３４をクリックすると、飲み合わせ検索が行われて（図２−２番号７，８，９の行参照）、図７−１，図７−２に示す検索結果が表示される（図２−２番号１０の行参照）。
この検索は、サーバ３０のデータベース３２内に格納されている、図８に示した処置飲み合わせテーブル３４０，症状飲み合わせテーブル３５０，参考文献番号テーブル３６０，参考文献ＵＲＬテーブル３８０を用いて行なわれる。
処置飲み合わせテーブル３４０は、処置飲み合わせシーケンス番号３４１，商品シーケンス番号３４２，原材料シーケンス番号３４３，治療薬分類シーケンス番号３４４，一般名シーケンス番号３４５，処置（医薬品とサプリメントの商品との飲み合わせの回避や条件）３４６，併用フラグ（処置の大分類）３４７の各フィールドを有する複数のレコードから構成されている。症状飲み合わせテーブル３５０は、症状飲み合わせシーケンス番号３５１，原材料シーケンス番号３５２，治療薬分類シーケンス番号３５３，一般名シーケンス番号３５４，相互作用（医薬品とサプリメントの飲み合わせにより引き起こされる症状の簡易的な記載）３５５，相互作用詳細３５６，添付文書（飲み合わせに関する情報の有無）３５７，添付文書項目（内容）（飲み合わせに関する情報内容）３５８の各フィールドを有する複数のレコードから構成されている。参考文献番号テーブル３６０は、症状飲み合わせシーケンス番号３６１，参考文献コード３６２の各フィールドを有する複数のレコードから構成されている。参考文献ＵＲＬテーブル３８０は、参考文献コード３８１，参考文献ＵＲＬ３８２，参考文献３８３の各フィールドを有する複数のレコードから構成されている。
【００１６】
まず、処置飲み合わせテーブル３４０を用いて、図６の検索画面１００に入力した商品や薬剤製品に対応する商品シーケンス番号３４２，原材料シーケンス番号３４３，治療薬分類シーケンス番号３４４，一般名シーケンス番号３４５と一致するレコードを検索し、そのレコードの処置飲み合わせシーケンス番号３４１とともに、処置３４６及び併用フラグ３４７を得る（図２−２番号７の行参照）。また、症状飲み合わせテーブル３５０を用いて、前と同様に、図６の検索画面１００に入力した商品や薬剤製品に対応する原材料シーケンス番号，治療薬分類シーケンス番号，一般名シーケンス番号と一致するレコードを検索し、そのレコードの症状飲み合わせシーケンス番号３５１とともに、相互作用３５５，相互作用詳細３５６，添付文書３５７，添付文書項目（内容）３５８を得る（図２−２番号８の行参照）。これらを検索するときには、ワークエリアに保存しておいた商品シーケンス番号，原材料シーケンス番号，治療薬分類シーケンス番号，一般名シーケンス番号を用いる。次に、上述で得た症状飲み合わせシーケンス番号３５１から、参考文献番号テーブル３６０を用いて参考文献コード３６２を得る。
上述の検索では、治療薬分類シーケンス番号も使用しているが、これを用いずに検索してもよい。
【００１７】
上述の処理で得た情報を編集し、飲み合わせ検索を行った結果の情報として、商品名ごとに図７−１，図７−２のような表にまとめて表示している（図２−２番号１０の行参照）。
表示される情報としては、例えば図７−１．図７−２に示した、検索した商品名２１０，商品名に含まれる飲み合わせの対象となる原材料２１５，治療薬分類２２０，飲み合わせの対象となる一般名（有効成分）２２５，検索した薬剤製品名２３０，原材料と一般名との相互作用２３５，推奨する処置２４０，参考文献（の番号）２４５，薬剤製品の添付文書の有無２５５，添付文書項目（内容）２６０，相互作用詳細２６５である。図７−２で、添付文書の有無２５５で「無」となっているが添付文書項目（内容）が記載されていることがある。これは、薬剤製品の添付文書に検索対象のサプリメント商品との相互作用の記載は無いが、添付文書の記載事項を参考情報として表示しているのである。また、参考文献欄に表示されている文献番号で外部サーバにアクセスすることができる番号の表示の色を変えている。これは、参考文献ＵＲＬテーブル３８０で外部サーバのＵＲＬが参考文献ＵＲＬ３８０に記載されているときに、色を変えるとともにそのＵＲＬを記憶している。なお、参考文献３８３は、内部サーバ３０に蓄積されている文献の格納場所を示している。
このような検索結果が得られるので、検索した商品や薬剤製品のどの原料や有効成分が、飲み合わせの相互作用を起こすのか、それに対してどのような処置を行えばよいのかを理解することができる。
【００１８】
また、専門家向けに参考文献が必要な場合、図７−２の参考文献欄２４５に表示されている文献番号で、色が変わって表示されているものをクリックすると、検索した飲み合わせに関連している文献を外部サーバ（例えば、ＰｕｂＭｅｄ）５０（図１参照）にアクセスして、表示することができる（図２−２番号１１，１２の行参照）。この処理は、図７−２の色が変わった参考文献番号２４５に対しては、対応する参考文献ＵＲＬ３８２を記憶しているので、このＵＲＬを用いて外部サーバにインターネット４０を介してアクセスすることができる。この様に、専門家は、参考文献を参照して、より詳細な情報を得ることができる。
【図面の簡単な説明】
【００１９】
【図１】実施形態の飲み合わせ検索システムの構成例を示す図である。
【図２−１】実施形態の検索システムの操作や実行を説明するための表である。
【図２−２】実施形態の検索システムの操作や実行を説明するための表である。
【図３】検索画面を示す図である。
【図４】ビタミンを含むサプリメント商品名一覧の表示を示す図である。
【図５】アスピリンを含む薬剤製品名一覧の表示を示す図である。
【図６】入力済みの検索画面を示す図である。
【図７−１】検索結果の例を示す図である。
【図７−２】検索結果の例を示す図である。
【図８】検索で使用するデータベースの構造を示す図である。
【図１】
2005222158.tif 000003
【図２−１】
2005222158.tif 000004
【図２−２】
2005222158.tif 000005
【図３】
2005222158.tif 000006
【図４】
2005222158.tif 000007
【図５】
2005222158.tif 000008
【図６】
2005222158.tif 000009
【図７−１】
2005222158.tif 000010
【図７−２】
2005222158.tif 000011
【図８】
2005222158.tif 000012